(57)【要約】本発明の課題は、２つの筐体を摺動可能なスライド式の携帯端末であって、一方の筐体に搭載される所定の部品を当該一方の筐体の厚みに制限されずに搭載することのできる携帯端末を提供することである。  互いにスライド可能な上部筐体（１）および下部筐体（２）を備え、上部筐体（１）と下部筐体（２）とが全体的に重なり合った閉状態および閉状態から上部筐体（１）を下部筐体（２）に対してスライドさせた開状態のいずれかの状態になり得る携帯端末であって、上部筐体（１）は、一部分が下部筐体（２）側に突出し他の部分が当該上部筐体（１）に埋設されたカメラ部（６）を有し、下部筐体（２）は、当該携帯端末を開状態から閉状態にしたとき当該カメラ部（６）の凸部を収納可能な凹部を有して構成されている。
2004080039.tif 000002
【特許請求の範囲】
【請求項１】
互いに摺動可能な第１の筐体および第２の筐体を備え、前記第１の筐体と前記第２の筐体とが全体的に重なり合った閉状態および前記閉状態から前記第１の筐体を前記第２の筐体に対して摺動した開状態のいずれかの状態になり得るスライド式の携帯端末であって、
前記第１の筐体は、前記閉状態のとき前記第２の筐体に対向する面側から突出した凸部、および前記第１の筐体内に埋設された埋設部から構成された所定の部品を有し、
前記第２の筐体は、当該携帯端末を前記開状態から前記閉状態にしたとき前記凸部を収納可能な凹部を有することを特徴とする携帯端末。
【請求項２】
前記所定の部品は、被写体を撮影する撮影手段であることを特徴とする請求の範囲第１項記載の携帯端末。
【請求項３】
前記撮影手段の前記凸部からはレンズまたはレンズ保護カバーが露出し、
前記凹部は、前記第１の筐体を前記第２の筐体に対して摺動したとき前記レンズまたは前記レンズ保護カバーと接触する位置に、汚れを拭き取る清浄手段を有することを特徴とする請求の範囲第２項記載の携帯端末。
【発明の詳細な説明】
【技術分野】  本発明は、２つの筐体を摺動可能なスライド式の携帯端末であって、一方の筐体に搭載される所定の部品を当該一方の筐体の厚みに制限されずに搭載することのできる携帯端末に関する。
【背景技術】  従来、携帯電話機やＰＤＡ等の携帯端末には、ＣＭＯＳ型やＣＣＤ型等の固体撮像素子を用いたカメラが搭載されたものがある。但し、当該従来の携帯端末に搭載されるカメラは、単焦点（固定焦点）の光学系を採用していることが多く、パンフォーカス方式によって所定の撮像距離から無限遠までの範囲でピントを合わせることのできるものが一般的である。
このような従来のカメラ付き携帯端末としては、例えば図５に示すようなものがある（特許文献１参照）。図５は、従来のカメラ付き携帯端末の背面図である。同図に示す従来のカメラ付き携帯端末は、互いにスライド可能な上部筐体１０１および下部筐体１０２を備えて構成されており、上部筐体１０１内部にカメラ１１３が設けられている。なお、図５（Ｂ）に示すように、当該カメラ付き携帯端末は各筐体が重なり合った状態にもなるため、カメラ１１３は上部筐体１０１の背面、すなわち下部筐体１０２に対向する面から突出せず、図５（Ａ）に示すように、レンズが当該背面から露出するよう設けられている。また、背面以外の面であってもカメラ１１３が突出した構造はデザイン的に望ましくないため、カメラ１１３は、レンズを除いて上部筐体１０１内に完全に埋設されている。
【特許文献１】  特開２０００−７８２５４号公報
このように、上記従来のカメラ付き携帯端末にあっては、カメラ１１３が上部筐体１０１に埋設されているため、当該カメラ１１３は上部筐体１０１内に埋設可能な大きさである必要がある。しかし、光学ズームや高画素撮像素子、機械式シャッター等を採用した高性能、高機能なカメラは、一般的に、従来の単焦点の光学系を採用したカメラよりも大型なため、このように高性能、高機能なカメラを筐体内に納められない場合がある。したがって、カメラの性能および機能は、その大きさと筐体の厚みによって制限されてしまうという問題点があった。
本発明は、上記従来の問題点に鑑みてなされたものであって、２つの筐体を摺動可能なスライド式の携帯端末であって、一方の筐体に搭載される所定の部品を当該一方の筐体の厚みに制限されずに搭載することのできる携帯端末を提供することを目的としている。
【発明の開示】
上記目的を達成するために、本発明に係る携帯端末は、互いに摺動可能な第１の筐体および第２の筐体を備え、前記第１の筐体と前記第２の筐体とが全体的に重なり合った閉状態および前記閉状態から前記第１の筐体を前記第２の筐体に対して摺動した開状態のいずれかの状態になり得るスライド式の携帯端末であって、前記第１の筐体は、前記閉状態のとき前記第２の筐体に対向する面側から突出した凸部、および前記第１の筐体内に埋設された埋設部から構成された所定の部品を有し、前記第２の筐体は、当該携帯端末を前記開状態から前記閉状態にしたとき前記凸部を収納可能な凹部を有するものである。このため、第１の筐体の第２の筐体と対向する面側から所定の部品の一部分が突出していても、当該突出した一部分を凹部に収納した閉状態とすることができる。したがって、第１の筐体に搭載される所定の部品を当該第１の筐体の厚みに制限されずに搭載することができる。
また、本発明に係る携帯端末は、前記所定の部品は、被写体を撮影する撮影手段であるのが望ましい。
さらに、本発明に係る携帯端末は、前記撮影手段の前記凸部からはレンズまたはレンズ保護カバーが露出し、前記凹部は、前記第１の筐体を前記第２の筐体に対して摺動したとき前記レンズまたは前記レンズ保護カバーと接触する位置に、汚れを拭き取る清浄手段を有するものである。したがって、第１の筐体を第２の筐体に対して摺動することによって、清浄手段が撮影手段のレンズまたはレンズ保護カバーに付着した汚れを拭き取るため、当該レンズまたはレンズ保護カバーを清浄に保つことができる。
【図面の簡単な説明】  図１は、本発明に係る第１の実施形態の携帯端末の斜視図であり、
図２は、本発明に係る第１の実施形態の携帯端末の側面図であり、
図３は、本発明に係る第２の実施形態の携帯端末の斜視図であり、
図４は、本発明に係る第２の実施形態の携帯端末の側面図であり、
図５は、従来の携帯端末の背面図である。
なお、図中の符号、１は上部筐体、２，２０は下部筐体、３は液晶表示部、４は文字入力用キーパッド、５は方向入力用キーパッド、６はカメラ部、１１はカメラ部収納用凹部、２８は不織布である。
【発明を実施するための最良の形態】  以下、本発明に係る携帯端末の実施の形態について、（第１の実施形態）、（第２の実施形態）の順に図面を参照して詳細に説明する。なお、以下の説明では、第１の実施形態および第２の実施形態の携帯端末を、被写体を撮影する撮像機能を有し、音声通話および文字データや画像データ等のデータ通信が可能な携帯電話やＰＨＳ、ＰＤＡ等の通信端末として説明する。
（第１の実施形態）
まず、図１および図２を参照して、本発明に係る第１の実施形態の携帯端末について説明する。
図１は、本発明に係る第１の実施形態の携帯端末の斜視図であり、図２は、本発明に係る第１の実施形態の携帯端末の側面図である。なお、図１（ａ）は、第１の実施形態の携帯端末を前面方向から見た斜視図であり、図１（ｂ）は、第１の実施形態の携帯端末を背面方向から見た斜視図である。
図１に示すように、本実施形態の携帯端末は、特許請求の範囲の第１の筐体に該当する上部筐体１と、第２の筐体に該当する下部筐体２とを備えて構成されている。上部筐体１は、その前面に液晶表示部３および方向入力用キーパッド５を有し、背面には特許請求の範囲の所定の部品に該当するカメラ部６を有している。また、下部筐体２は、その前面に文字入力用キーパッド４および凹部に該当するカメラ部収納用凹部１１を有している。
また、上部筐体１と下部筐体２とは、側面の長手方向に設けられたスライド構造（図示せず）によって互いにスライド（摺動）可能に連結されており、携帯端末は２つの状態となり得る。２つの状態とは、すなわち、図２（ａ）に示すような上部筐体１と下部筐体２とが略全体的に重なり合った状態（以下、この状態を「閉状態」という。）と、図２（ｂ）に示すような閉状態から上部筐体１を下部筐体２に対して上方向にスライドした状態（以下、この状態を「開状態」という。）である。
以下、上部筐体１が有する各構成要素について説明する。
まず、カメラ部６は、方向入力用キーパッド５または文字入力用キーパッド４に対して行われた操作に応じて被写体を撮影するものであり、上部筐体１の上端の下部筐体２と対向する面（背面）側から一部分が突出し、他の部分が上部筐体１内に埋設されている。以下、下部筐体２と対向する面側から突出したカメラ部６の一部分を「カメラ部６の凸部」という。なお、カメラ部６の凸部は特許請求の範囲の凸部に該当し、上部筐体１内に埋設されたカメラ部６の他の部分は埋設部に該当する。
カメラ部６は上部筐体１の上端に設けられているため、閉状態で上部筐体１を下部筐体２に対してわずかにスライドさせるだけで、被写体を撮影することができる。また、カメラ部６は、上部筐体１に内設される受話器（図示せず）の近傍に設けられているが、当該受話器とは互いに影響し合わない。なお、カメラ部６の凸部には露出したレンズが設けられている。但し、当該レンズを保護するためのレンズ保護カバーを有していても良い。
また、液晶表示部３は、上部筐体１の前面に露出して設置され、カメラ部６によって撮影された画像等を表示するものである。また、方向入力用キーパッド５は、本実施形態の携帯端末を操作するためのものであり、特に、カメラ部６のシャッターを切るといった操作を行える。
次に、下部筐体２が有する各構成要素について説明する。
まず、カメラ部収納用凹部１１は、下部筐体２の上端部に設けられ、本実施形態の携帯端末を開状態から閉状態にスライドしたときカメラ部６の凸部を収納可能な形状の凹部である。すなわち、カメラ部収納用凹部１１は、カメラ部６の凸部の形状に対応した形状である。また、文字入力用キーパッド４は、本実施形態の携帯端末を操作するためのものであり、特に、カメラ部６のシャッターを切るといった操作を行える。
以上説明した構成要素を備えた携帯端末では、上部筐体１の下部筐体２と対向する面側からカメラ部６の一部分が突出していても、下部筐体２にカメラ部収納用凹部１１が設けられているため、図２（ａ）に示すように、閉状態のとき当該カメラ部６の凸部はカメラ部収納用凹部１１に収納される。一方、図２（ｂ）に示すように、下部筐体２に対して上部筐体１を上方向にスライドさせた開状態のときは、カメラ部６のレンズが露出するため、携帯端末の背面側を被写体に向け、液晶表示部３の表示画面を確認しながら方向入力用キーパッド５または文字入力用キーパッド４を操作することによって、被写体を撮影することができる。
以上説明したように、本実施形態の携帯端末では、下部筐体２にカメラ部収納用凹部１１が設けられているため、上部筐体１の下部筐体２と対向する面側からカメラ部６の一部分が突出していても、当該カメラ部６の凸部をカメラ部収納用凹部１１に収納した閉状態とすることができる。したがって、カメラ部６の大きさは上部筐体１内に埋設可能な大きさに制限されないため、上部筐体１および下部筐体２を重ね合わせた厚み未満の大きさであれば所望の大きさのカメラを上部筐体１に搭載することができる。この結果、光学ズームや高画素撮像素子、機械式シャッター等を採用した高機能、高性能なカメラを搭載することが可能となる。
また、カメラの大きさに合わせて上部筐体１を大型化する必要がないためコストを低減できる。さらに、上部筐体１に埋設可能な大きさであって、かつ、高機能、高性能なカメラを開発する必要がないためコストを低減できる。また、従来のスライド構造を有する携帯端末では、スライド構造に存在するガタツキが増幅され、上部筐体１と下部筐体２の上下端部で大きなガタツキが発生し易い。しかし、本実施形態の携帯端末では、閉状態のときカメラ部６の凸部とカメラ部収納用凹部１１とが嵌合するため、このようなガタツキを低減することもできる。
なお、本実施形態では、上部筐体１からカメラ部６の一部分が突出し、下部筐体２にカメラ部６の凸部に対応したカメラ部収納用凹部１１が設けられている場合を例に説明したが、液晶パネルなどの表示装置やアンテナ、スピーカー等、他の部品の一部分を上部筐体１から突出させ、当該突出した部分の形状に対応する凹部を下部筐体２に設けても良い。
（第２の実施形態）
第１の実施形態の携帯端末では、閉状態のとき、カメラ部６はカメラ部収納用凹部１１に収納されるためレンズ等に埃などの汚れや傷が付きにくい。しかし、開状態のときは、ごみや埃などの汚れがレンズに付着する恐れがある。このため、第２の実施形態では、レンズに付着した汚れを取り除きレンズを清浄に保つことのできる携帯端末について説明する。
以下、図３および図４を参照して、本発明に係る第２の実施形態の携帯端末について説明する。図３は、本発明に係る第２の実施形態の携帯端末の斜視図であり、図４は、本発明に係る第２の実施形態の携帯端末の側面図である。なお、図３（ａ）は、第２の実施形態の携帯端末を前面方向から見た斜視図であり、図３（ｂ）は、第２の実施形態の携帯端末を背面方向から見た斜視図である。また、図４（ａ）は、閉状態の第２の実施形態の携帯端末の側面図であり、図４（ｂ）は、開状態の第２の実施形態の携帯端末の側面図である。図３および図４において、図１または図２（第１の実施形態）と重複する部分には同一の符号を附して説明を省略する。
図３に示すように、本実施形態の携帯端末は、上部筐体１と、下部筐体２０とを備えて構成されている。下部筐体２０は、第１の実施形態の下部筐体２が有する構成要素に加えて、特許請求の範囲の清浄手段に該当する不織布２８を有している。不織布２８は、図４に示すように、カメラ部収納用凹部１１の内壁の、閉状態でカメラ部６のレンズと対向する面の上端から中央付近にわたって貼り付けられており、各筐体をスライドする際にカメラ部１０６のレンズと接触して、当該レンズに付着したごみや埃などの汚れを拭き取るものである。
したがって、本実施形態の携帯端末によれば、上部筐体１および下部筐体２をスライドさせて開状態または閉状態にするという動作を行うことによって、不織布２８がカメラ部６のレンズに付着した汚れを拭き取るため、カメラ部６のレンズを清浄に保つことができる。
なお、本実施形態では、不織布２８を例に説明したが、例えば化学合成繊維など、クリーニング性を有するものであれは良い。また、不織布２８を、カメラ部収納用凹部１１の内壁の、閉状態でカメラ部６のレンズと対向する面全体に貼り付けても良い。
本発明を詳細にまた特定の実施態様を参照して説明したが、本発明の精神と範囲を逸脱することなく様々な変更や修正を加えることができることは当業者にとって明らかである。
本出願は、２００３年３月７日出願の日本特許出願Ｎｏ．２００３−０６１８５１に基づくものであり、その内容はここに参照として取り込まれる。
【産業上の利用可能性】  以上説明したように、本発明に係る携帯端末によれば、２つの筐体を摺動可能なスライド式の携帯端末であって、一方の筐体に搭載される所定の部品を当該一方の筐体の厚みに制限されずに搭載することのできる携帯端末を提供することができる。
【図１】
2004080039.tif 000003
【図２】
2004080039.tif 000004
【図３】
2004080039.tif 000005
【図４】
2004080039.tif 000006
【図５】
2004080039.tif 000007
【手続補正書】
【提出日】平成17年4月4日(2005.4.4)
【手続補正１】
【補正対象書類名】明細書
【補正対象項目名】全文
【補正方法】変更
【補正の内容】
【書類名】    明細書
【０００１】
【技術分野】
【０００２】
本発明は、２つの筐体を摺動可能なスライド式の携帯端末であって、一方の筐体に搭載される所定の部品を当該一方の筐体の厚みに制限されずに搭載することのできる携帯端末に関する。
【背景技術】
【０００３】
従来、携帯電話機やＰＤＡ等の携帯端末には、ＣＭＯＳ型やＣＣＤ型等の固体撮像素子を用いたカメラが搭載されたものがある。但し、当該従来の携帯端末に搭載されるカメラは、単焦点（固定焦点）の光学系を採用していることが多く、パンフォーカス方式によって所定の撮像距離から無限遠までの範囲でピントを合わせることのできるものが一般的である。
【０００４】
このような従来のカメラ付き携帯端末としては、例えば図５に示すようなものがある（特許文献１参照）。図５は、従来のカメラ付き携帯端末の背面図である。同図に示す従来のカメラ付き携帯端末は、互いにスライド可能な上部筐体１０１および下部筐体１０２を備えて構成されており、上部筐体１０１内部にカメラ１１３が設けられている。なお、図５（Ｂ）に示すように、当該カメラ付き携帯端末は各筐体が重なり合った状態にもなるため、カメラ１１３は上部筐体１０１の背面、すなわち下部筐体１０２に対向する面から突出せず、図５（Ａ）に示すように、レンズが当該背面から露出するよう設けられている。また、背面以外の面であってもカメラ１１３が突出した構造はデザイン的に望ましくないため、カメラ１１３は、レンズを除いて上部筐体１０１内に完全に埋設されている。
【０００５】
【特許文献１】特開２０００−７８２５４号公報
【発明の開示】
【発明が解決しようとする課題】
【０００６】
このように、上記従来のカメラ付き携帯端末にあっては、カメラ１１３が上部筐体１０１に埋設されているため、当該カメラ１１３は上部筐体１０１内に埋設可能な大きさである必要がある。しかし、光学ズームや高画素撮像素子、機械式シャッター等を採用した高性能、高機能なカメラは、一般的に、従来の単焦点の光学系を採用したカメラよりも大型なため、このように高性能、高機能なカメラを筐体内に納められない場合がある。したがって、カメラの性能および機能は、その大きさと筐体の厚みによって制限されてしまうという問題点があった。
【０００７】
本発明は、上記従来の問題点に鑑みてなされたものであって、２つの筐体を摺動可能なスライド式の携帯端末であって、一方の筐体に搭載される所定の部品を当該一方の筐体の厚みに制限されずに搭載することのできる携帯端末を提供することを目的としている。
【課題を解決するための手段】
【０００８】
上記目的を達成するために、本発明に係る携帯端末は、互いに摺動可能な第１の筐体および第２の筐体を備え、前記第１の筐体と前記第２の筐体とが全体的に重なり合った閉状態および前記閉状態から前記第１の筐体を前記第２の筐体に対して摺動した開状態のいずれかの状態になり得るスライド式の携帯端末であって、前記第１の筐体は、前記閉状態のとき前記第２の筐体に対向する面側から突出した凸部、および前記第１の筐体内に埋設された埋設部から構成された所定の部品を有し、前記第２の筐体は、当該携帯端末を前記開状態から前記閉状態にしたとき前記凸部を収納可能な凹部を有するものである。このため、第１の筐体の第２の筐体と対向する面側から所定の部品の一部分が突出していても、当該突出した一部分を凹部に収納した閉状態とすることができる。したがって、第１の筐体に搭載される所定の部品を当該第１の筐体の厚みに制限されずに搭載することができる。
【０００９】
また、本発明に係る携帯端末は、前記所定の部品は、被写体を撮影する撮影手段であるのが望ましい。
【００１０】
さらに、本発明に係る携帯端末は、前記撮影手段の前記凸部からはレンズまたはレンズ保護カバーが露出し、前記凹部は、前記第１の筐体を前記第２の筐体に対して摺動したとき前記レンズまたは前記レンズ保護カバーと接触する位置に、汚れを拭き取る清浄手段を有するものである。したがって、第１の筐体を第２の筐体に対して摺動することによって、清浄手段が撮影手段のレンズまたはレンズ保護カバーに付着した汚れを拭き取るため、当該レンズまたはレンズ保護カバーを清浄に保つことができる。
【発明の効果】
【００１１】
本発明に係る携帯端末によれば、２つの筐体を摺動可能なスライド式の携帯端末であって、一方の筐体に搭載される所定の部品を当該一方の筐体の厚みに制限されずに搭載することのできる携帯端末を提供することができる。
【発明を実施するための最良の形態】
【００１２】
以下、本発明に係る携帯端末の実施の形態について、（第１の実施形態）、（第２の実施形態）の順に図面を参照して詳細に説明する。なお、以下の説明では、第１の実施形態および第２の実施形態の携帯端末を、被写体を撮影する撮像機能を有し、音声通話および文字データや画像データ等のデータ通信が可能な携帯電話やＰＨＳ、ＰＤＡ等の通信端末として説明する。
【００１３】
（第１の実施形態）
まず、図１および図２を参照して、本発明に係る第１の実施形態の携帯端末について説明する。
図１は、本発明に係る第１の実施形態の携帯端末の斜視図であり、図２は、本発明に係る第１の実施形態の携帯端末の側面図である。なお、図１（ａ）は、第１の実施形態の携帯端末を前面方向から見た斜視図であり、図１（ｂ）は、第１の実施形態の携帯端末を背面方向から見た斜視図である。
【００１４】
図１に示すように、本実施形態の携帯端末は、特許請求の範囲の第１の筐体に該当する上部筐体１と、第２の筐体に該当する下部筐体２とを備えて構成されている。上部筐体１は、その前面に液晶表示部３および方向入力用キーパッド５を有し、背面には特許請求の範囲の所定の部品に該当するカメラ部６を有している。また、下部筐体２は、その前面に文字入力用キーパッド４および凹部に該当するカメラ部収納用凹部１１を有している。
【００１５】
また、上部筐体１と下部筐体２とは、側面の長手方向に設けられたスライド構造（図示せず）によって互いにスライド（摺動）可能に連結されており、携帯端末は２つの状態となり得る。２つの状態とは、すなわち、図２（ａ）に示すような上部筐体１と下部筐体２とが略全体的に重なり合った状態（以下、この状態を「閉状態」という。）と、図２（ｂ）に示すような閉状態から上部筐体１を下部筐体２に対して上方向にスライドした状態（以下、この状態を「開状態」という。）である。
【００１６】
以下、上部筐体１が有する各構成要素について説明する。
まず、カメラ部６は、方向入力用キーパッド５または文字入力用キーパッド４に対して行われた操作に応じて被写体を撮影するものであり、上部筐体１の上端の下部筐体２と対向する面（背面）側から一部分が突出し、他の部分が上部筐体１内に埋設されている。以下、下部筐体２と対向する面側から突出したカメラ部６の一部分を「カメラ部６の凸部」という。なお、カメラ部６の凸部は特許請求の範囲の凸部に該当し、上部筐体１内に埋設されたカメラ部６の他の部分は埋設部に該当する。
【００１７】
カメラ部６は上部筐体１の上端に設けられているため、閉状態で上部筐体１を下部筐体２に対してわずかにスライドさせるだけで、被写体を撮影することができる。また、カメラ部６は、上部筐体１に内設される受話器（図示せず）の近傍に設けられているが、当該受話器とは互いに影響し合わない。なお、カメラ部６の凸部には露出したレンズが設けられている。但し、当該レンズを保護するためのレンズ保護カバーを有していても良い。
【００１８】
また、液晶表示部３は、上部筐体１の前面に露出して設置され、カメラ部６によって撮影された画像等を表示するものである。また、方向入力用キーパッド５は、本実施形態の携帯端末を操作するためのものであり、特に、カメラ部６のシャッターを切るといった操作を行える。
【００１９】
次に、下部筐体２が有する各構成要素について説明する。
まず、カメラ部収納用凹部１１は、下部筐体２の上端部に設けられ、本実施形態の携帯端末を開状態から閉状態にスライドしたときカメラ部６の凸部を収納可能な形状の凹部である。すなわち、カメラ部収納用凹部１１は、カメラ部６の凸部の形状に対応した形状である。また、文字入力用キーパッド４は、本実施形態の携帯端末を操作するためのものであり、特に、カメラ部６のシャッターを切るといった操作を行える。
【００２０】
以上説明した構成要素を備えた携帯端末では、上部筐体１の下部筐体２と対向する面側からカメラ部６の一部分が突出していても、下部筐体２にカメラ部収納用凹部１１が設けられているため、図２（ａ）に示すように、閉状態のとき当該カメラ部６の凸部はカメラ部収納用凹部１１に収納される。一方、図２（ｂ）に示すように、下部筐体２に対して上部筐体１を上方向にスライドさせた開状態のときは、カメラ部６のレンズが露出するため、携帯端末の背面側を被写体に向け、液晶表示部３の表示画面を確認しながら方向入力用キーパッド５または文字入力用キーパッド４を操作することによって、被写体を撮影することができる。
【００２１】
以上説明したように、本実施形態の携帯端末では、下部筐体２にカメラ部収納用凹部１１が設けられているため、上部筐体１の下部筐体２と対向する面側からカメラ部６の一部分が突出していても、当該カメラ部６の凸部をカメラ部収納用凹部１１に収納した閉状態とすることができる。したがって、カメラ部６の大きさは上部筐体１内に埋設可能な大きさに制限されないため、上部筐体１および下部筐体２を重ね合わせた厚み未満の大きさであれば所望の大きさのカメラを上部筐体１に搭載することができる。この結果、光学ズームや高画素撮像素子、機械式シャッター等を採用した高機能、高性能なカメラを搭載することが可能となる。
【００２２】
また、カメラの大きさに合わせて上部筐体１を大型化する必要がないためコストを低減できる。さらに、上部筐体１に埋設可能な大きさであって、かつ、高機能、高性能なカメラを開発する必要がないためコストを低減できる。また、従来のスライド構造を有する携帯端末では、スライド構造に存在するガタツキが増幅され、上部筐体１と下部筐体２の上下端部で大きなガタツキが発生し易い。しかし、本実施形態の携帯端末では、閉状態のときカメラ部６の凸部とカメラ部収納用凹部１１とが嵌合するため、このようなガタツキを低減することもできる。
【００２３】
なお、本実施形態では、上部筐体１からカメラ部６の一部分が突出し、下部筐体２にカメラ部６の凸部に対応したカメラ部収納用凹部１１が設けられている場合を例に説明したが、液晶パネルなどの表示装置やアンテナ、スピーカー等、他の部品の一部分を上部筐体１から突出させ、当該突出した部分の形状に対応する凹部を下部筐体２に設けても良い。
【００２４】
（第２の実施形態）
第１の実施形態の携帯端末では、閉状態のとき、カメラ部６はカメラ部収納用凹部１１に収納されるためレンズ等に埃などの汚れや傷が付きにくい。しかし、開状態のときは、ごみや埃などの汚れがレンズに付着する恐れがある。このため、第２の実施形態では、レンズに付着した汚れを取り除きレンズを清浄に保つことのできる携帯端末について説明する。
【００２５】
以下、図３および図４を参照して、本発明に係る第２の実施形態の携帯端末について説明する。図３は、本発明に係る第２の実施形態の携帯端末の斜視図であり、図４は、本発明に係る第２の実施形態の携帯端末の側面図である。なお、図３（ａ）は、第２の実施形態の携帯端末を前面方向から見た斜視図であり、図３（ｂ）は、第２の実施形態の携帯端末を背面方向から見た斜視図である。また、図４（ａ）は、閉状態の第２の実施形態の携帯端末の側面図であり、図４（ｂ）は、開状態の第２の実施形態の携帯端末の側面図である。図３および図４において、図１または図２（第１の実施形態）と重複する部分には同一の符号を附して説明を省略する。
【００２６】
図３に示すように、本実施形態の携帯端末は、上部筐体１と、下部筐体２０とを備えて構成されている。下部筐体２０は、第１の実施形態の下部筐体２が有する構成要素に加えて、特許請求の範囲の清浄手段に該当する不織布２８を有している。不織布２８は、図４に示すように、カメラ部収納用凹部１１の内壁の、閉状態でカメラ部６のレンズと対向する面の上端から中央付近にわたって貼り付けられており、各筐体をスライドする際にカメラ部１０６のレンズと接触して、当該レンズに付着したごみや埃などの汚れを拭き取るものである。
【００２７】
したがって、本実施形態の携帯端末によれば、上部筐体１および下部筐体２をスライドさせて開状態または閉状態にするという動作を行うことによって、不織布２８がカメラ部６のレンズに付着した汚れを拭き取るため、カメラ部６のレンズを清浄に保つことができる。
【００２８】
なお、本実施形態では、不織布２８を例に説明したが、例えば化学合成繊維など、クリーニング性を有するものであれは良い。また、不織布２８を、カメラ部収納用凹部１１の内壁の、閉状態でカメラ部６のレンズと対向する面全体に貼り付けても良い。
【００２９】
本発明を詳細にまた特定の実施態様を参照して説明したが、本発明の精神と範囲を逸脱することなく様々な変更や修正を加えることができることは当業者にとって明らかである。
【００３０】
本出願は、2003年3月7日出願の日本特許出願Ｎｏ．2003-061851に基づくものであ
り、その内容はここに参照として取り込まれる。
【産業上の利用可能性】
【００３１】
以上説明したように、本発明に係る携帯端末によれば、２つの筐体を摺動可能なスライド式の携帯端末であって、一方の筐体に搭載される所定の部品を当該一方の筐体の厚みに制限されずに搭載することのできる携帯端末を提供することができる。
【図面の簡単な説明】
【００３２】
【図１】  本発明に係る第１の実施形態の携帯端末の斜視図
【図２】  本発明に係る第１の実施形態の携帯端末の側面図
【図３】  本発明に係る第２の実施形態の携帯端末の斜視図
【図４】  本発明に係る第２の実施形態の携帯端末の側面図
【図５】  従来の携帯端末の背面図
【符号の説明】
【００３３】
１  上部筐体
２、２０  下部筐体
３  液晶表示部
４  文字入力用キーパッド
５  方向入力用キーパッド
６  カメラ部
１１  カメラ部収納用凹部
２８  不織布
【手続補正２】
【補正対象書類名】特許請求の範囲
【補正対象項目名】全文
【補正方法】変更
【補正の内容】
【特許請求の範囲】
【請求項１】
互いに摺動可能な第１の筐体および第２の筐体を備え、前記第１の筐体と前記第２の筐体とが全体的に重なり合った閉状態および前記閉状態から前記第１の筐体を前記第２の筐体に対して摺動した開状態のいずれかの状態になり得るスライド式の携帯端末であって、
前記第１の筐体は、前記閉状態のとき前記第２の筐体に対向する面側から突出した凸部、および前記第１の筐体内に埋設された埋設部から構成された所定の部品を有し、
前記第２の筐体は、当該携帯端末を前記開状態から前記閉状態にしたとき前記凸部を収納可能な凹部を有することを特徴とする携帯端末。
【請求項２】
前記所定の部品は、被写体を撮影する撮影手段であることを特徴とする請求項１記載の携帯端末。
【請求項３】
前記撮影手段の前記凸部からはレンズまたはレンズ保護カバーが露出し、
前記凹部は、前記第１の筐体を前記第２の筐体に対して摺動したとき前記レンズまたは前記レンズ保護カバーと接触する位置に、汚れを拭き取る清浄手段を有することを特徴とする請求項２記載の携帯端末。
【国際調査報告】
2004080039.tif 000008
2004080039.tif 000009
2004080039.tif 000010
2004080039.tif 000011